(57)【要約】      （修正有）【課題】ＷＷＡＮとＷＬＡＮとの間の連携を強化させるための技術を提供する。【解決手段】通信システムにおいて、基地局２００とＷＷＡＮシステムによる通信を行う無線端末１００は、ＲＲＣコネクティッドモードにおいて、測定報告を無線端末が設定するための第１の設定情報を基地局から受信する。測定報告は、アクセスポイントからＷＬＡＮシステムにより送信される信号に関する測定結果の報告である。第１の設定情報に基づいて、アクセスポイントからＷＬＡＮシステムにより送信される信号の測定を設定し、ＲＲＣコネクティッドモードからＲＲＣアイドルモードに遷移した場合、ＲＲＣアイドルモードにおいて第１の設定情報を保持し、基地局からの切り替え指示に応じて、アクセスポイントとの通信を行うための制御を開始した場合、ＲＲＣコネクティッドモードからＲＲＣアイドルモードに遷移し、ＲＲＣアイドルモードにおいて第１の設定情報を保持する。【選択図】図５
2020188504.tif 000002
【特許請求の範囲】
【請求項１】
基地局と無線広域ネットワーク（ＷＷＡＮ）システムによる通信を行う無線端末であって、
ＲＲＣ（Ｒａｄｉｏ  Ｒｅｓｏｕｒｃｅ  Ｃｏｎｔｒｏｌ）コネクティッドモードにおいて、測定報告を前記無線端末が設定するための第１の設定情報を前記基地局から受信する処理を行う制御部を備え、
前記測定報告は、アクセスポイントから無線狭域ネットワーク（ＷＬＡＮ）システムにより送信される信号に関する測定結果の報告であり、
前記制御部は、前記第１の設定情報に基づいて、アクセスポイントからＷＬＡＮシステムにより送信される信号の測定を設定し、
前記制御部は、前記ＲＲＣコネクティッドモードからＲＲＣアイドルモードに遷移した場合、前記ＲＲＣアイドルモードにおいて前記第１の設定情報を保持し、
前記制御部は、前記基地局からの切り替え指示に応じて、アクセスポイントとの通信を行うための制御を開始した場合、前記ＲＲＣコネクティッドモードから前記ＲＲＣアイドルモードに遷移し、前記ＲＲＣアイドルモードにおいて前記第１の設定情報を保持することを特徴とする無線端末。
【請求項２】
前記第１の設定情報は、前記切り替え指示に含まれていることを特徴とする請求項１に記載の無線端末。
【請求項３】
前記制御部は、前記第１の設定情報を保持すべき旨の第２の設定情報を前記基地局から受信している場合に限り、前記ＲＲＣアイドルモードにおいて前記第１の設定情報を保持することを特徴とする請求項１に記載の無線端末。
【請求項４】
基地局と無線広域ネットワーク（ＷＷＡＮ）システムによる通信を行う無線端末であって、
ＲＲＣ（Ｒａｄｉｏ  Ｒｅｓｏｕｒｃｅ  Ｃｏｎｔｒｏｌ）コネクティッドモードにおいて、測定報告を前記無線端末が設定するための第１の設定情報を前記基地局から受信する処理を行う制御部を備え、
前記測定報告は、アクセスポイントから無線狭域ネットワーク（ＷＬＡＮ）システムにより送信される信号に関する測定結果の報告であり、
前記制御部は、前記第１の設定情報に基づいて、アクセスポイントからＷＬＡＮシステムにより送信される信号の測定を設定し、
前記制御部は、前記ＲＲＣコネクティッドモードからＲＲＣアイドルモードに遷移した場合、前記ＲＲＣアイドルモードにおいて前記第１の設定情報を保持し、
前記制御部は、前記第１の設定情報を保持すべき期間を示す期間情報を前記基地局から受信する処理を行い、
前記制御部は、前記ＲＲＣコネクティッドモードから前記ＲＲＣアイドルモードに遷移してから、前記期間情報が示す期間にわたって前記第１の設定情報を保持することを特徴とする無線端末。
【請求項５】
基地局と無線広域ネットワーク（ＷＷＡＮ）システムによる通信を行う無線端末であって、
ＲＲＣ（Ｒａｄｉｏ  Ｒｅｓｏｕｒｃｅ  Ｃｏｎｔｒｏｌ）コネクティッドモードにおいて、測定報告を前記無線端末が設定するための第１の設定情報を前記基地局から受信する処理を行う制御部を備え、
前記測定報告は、アクセスポイントから無線狭域ネットワーク（ＷＬＡＮ）システムにより送信される信号に関する測定結果の報告であり、
前記制御部は、前記第１の設定情報に基づいて、アクセスポイントからＷＬＡＮシステムにより送信される信号の測定を設定し、
前記制御部は、前記ＲＲＣコネクティッドモードからＲＲＣアイドルモードに遷移した場合、前記ＲＲＣアイドルモードにおいて前記第１の設定情報を保持し、
前記第１の設定情報は、測定対象のアクセスポイントのグループと関連付けられた所定識別子を含み、
前記制御部は、前記第１の設定情報に基づいて、前記ＲＲＣアイドルモードにおいて前記測定対象のアクセスポイントのグループに含まれるアクセスポイント対する測定を行い、
前記制御部は、前記ＲＲＣアイドルモードにおいて、前記測定対象のアクセスポイントのグループに含まれるアクセスポイントの発見又は測定結果に基づいて、前記ＲＲＣアイドルモードから前記ＲＲＣコネクティッドモードに遷移し、
前記制御部は、前記ＲＲＣコネクティッドモードに遷移すべき旨の第３の設定情報を前記基地局から受信している場合に限り、前記測定対象のアクセスポイントのグループに含まれるアクセスポイントの発見又は測定結果に基づいて、前記ＲＲＣアイドルモードから前記ＲＲＣコネクティッドモードに遷移することを特徴とする無線端末。
【発明の詳細な説明】
【技術分野】
【０００１】
本発明は、ＷＬＡＮをＷＷＡＮと連携させるシステムにおける基地局及び無線端末に関する。
【背景技術】
【０００２】
近年、無線広域ネットワーク（ＷＷＡＮ）システム（ＬＴＥ等）による通信及び無線狭域ネットワーク（ＷＬＡＮ）システムによる通信の両通信方式に対応した無線端末の普及が進んでいる。そのような無線端末に対して高速・大容量の通信サービスを提供するために、ＷＷＡＮとＷＬＡＮとの間の連携を強化させるための技術が検討されている。
【発明の概要】
【０００３】
一つの実施形態に係る基地局は、無線端末とＷＷＡＮシステムによる通信を行う。前記基地局は、測定報告を前記無線端末が設定するための第１の設定情報を前記無線端末に送信する処理を行う制御部を備える。前記測定報告は、アクセスポイントからＷＬＡＮシステムにより送信される信号に関する測定結果の報告であり、前記第１の設定情報は、前記無線端末が測定する対象のアクセスポイントのグループと関連付けられた所定識別子を含む。前記所定識別子は、前記グループ内の各アクセスポイントの識別子と関連付けられる。前記グループは、前記無線端末が、前記基地局からの指示に依存せずに、アクセスポイント間の切り替えを行うことのできるグループである。
【図面の簡単な説明】
【０００４】
【図１】第１実施形態及び第２実施形態に係る通信システムの構成を示す図である。
【図２】ＬＴＥシステムにおける無線インターフェイスのプロトコルスタック図である。
【図３】ＵＥ（無線端末）のブロック図である。
【図４】ｅＮＢ（基地局）のブロック図である。
【図５】第１実施形態の動作パターン１Ａを示すシーケンス図である。
【図６】ＷＬＡＮ測定設定の構成を示す図である。
【図７】第１実施形態の動作パターン１ＡにおけるＷＬＡＮ測定設定の具体例を示す図である。
【図８】第１実施形態の動作パターン１Ｂを示すシーケンス図である。
【図９】第１実施形態の動作パターン２Ａを示すシーケンス図である。
【図１０】第１実施形態の動作パターン２Ｂを示すシーケンス図である。
【図１１】第１実施形態に係るｅＮＢ間ハンドオーバ制御を説明するための図である。
【図１２】第１実施形態に係るｅＮＢ間ハンドオーバ制御の動作パターン１を示すシーケンス図である。
【図１３】第１実施形態に係るｅＮＢ間ハンドオーバ制御の動作パターン２を示すシーケンス図である。
【発明を実施するための形態】
【０００５】
［実施形態の概要］
実施形態に係るＷＷＡＮ対応基地局は、無線端末とのＷＷＡＮ通信を行う。前記ＷＷＡＮ対応基地局は、ＷＬＡＮ測定報告を設定するためのＷＬＡＮ測定設定を前記無線端末に送信する処理を行う制御部を備える。前記ＷＬＡＮ測定設定は、測定対象のＷＬＡＮアクセスポイントグループと関連付けられた所定識別子を含む。前記所定識別子は、前記測定対象のＷＬＡＮアクセスポイントグループ内の各ＷＬＡＮ対応アクセスポイントの識別子と関連付けられる。前記ＷＬＡＮアクセスポイントグループは、前記ＷＷＡＮ対応基地局の指示に依存せずにＷＬＡＮ対応アクセスポイント間の切り替え制御を前記無線端末が自律的に行うことができるＷＬＡＮ対応アクセスポイントのグループを示す。
【０００６】
実施形態において、前記所定識別子は、測定対象を設定する測定対象設定の識別子である。
【０００７】
実施形態において、前記ＷＬＡＮ測定設定は、前記測定対象のＷＬＡＮアクセスポイントグループ内の各ＷＬＡＮ対応アクセスポイントのインデックスを含む。前記インデックスは、ＷＬＡＮ対応アクセスポイントの識別子に比べてビット長が短い。
【０００８】
実施形態において、前記ＷＬＡＮ測定設定は、前記測定対象のＷＬＡＮアクセスポイントグループ内の各ＷＬＡＮ対応アクセスポイントの識別子をさらに含む。
【０００９】
実施形態において、前記制御部は、前記ＷＬＡＮ測定設定とは異なる通知情報をブロードキャスト又はユニキャストで前記無線端末に送信する処理をさらに行う。前記通知情報は、複数のＷＬＡＮ対応アクセスポイントのそれぞれのインデックス及び識別子を含む。
【００１０】
実施形態において、前記所定識別子は、前記測定対象のＷＬＡＮアクセスポイントグループのグループ識別子である。
【００１１】
実施形態において、前記ＷＬＡＮ測定設定は、前記測定対象のＷＬＡＮアクセスポイントグループ内の各ＷＬＡＮ対応アクセスポイントの識別子をさらに含む。
【００１２】
実施形態において、前記制御部は、前記ＷＬＡＮ測定設定とは異なる通知情報をブロードキャスト又はユニキャストで前記無線端末に送信する処理をさらに行う。前記通知情報は、ＷＬＡＮアクセスポイントグループのグループ識別子、及び、当該ＷＬＡＮアクセスポイントグループ内の各ＷＬＡＮ対応アクセスポイントの識別子を含む。
【００１３】
実施形態に係る無線端末は、ＷＷＡＮ対応基地局とのＷＷＡＮ通信を行う。前記無線端末は、ＷＬＡＮ測定報告を設定するためのＷＬＡＮ測定設定を前記ＷＷＡＮ対応基地局から受信する処理を行う制御部を備える。前記ＷＬＡＮ測定設定は、測定対象のＷＬＡＮアクセスポイントグループと関連付けられた所定識別子を含む。前記所定識別子は、前記測定対象のＷＬＡＮアクセスポイントグループ内の各ＷＬＡＮ対応アクセスポイントの識別子と関連付けられる。前記ＷＬＡＮアクセスポイントグループは、前記ＷＷＡＮ対応基地局の指示に依存せずにＷＬＡＮ対応アクセスポイント間の切り替え制御を前記無線端末が自律的に行うことができるＷＬＡＮ対応アクセスポイントのグループである。
【００１４】
実施形態において、前記所定識別子は、測定対象を設定する測定対象設定の識別子である。
【００１５】
実施形態において、前記ＷＬＡＮ測定設定は、前記測定対象のＷＬＡＮアクセスポイントグループ内の各ＷＬＡＮ対応アクセスポイントのインデックスを含む。前記インデックスは、ＷＬＡＮ対応アクセスポイントの識別子に比べてビット長が短い。
【００１６】
実施形態において、前記ＷＬＡＮ測定設定は、前記測定対象のＷＬＡＮアクセスポイントグループ内の各ＷＬＡＮ対応アクセスポイントの識別子をさらに含む。
【００１７】
実施形態において、前記制御部は、前記ＷＬＡＮ測定設定とは異なる通知情報を前記ＷＷＡＮ対応基地局又はコアネットワークから受信する処理をさらに行う。前記通知情報は、複数のＷＬＡＮ対応アクセスポイントのそれぞれのインデックス及び識別子を含む。
【００１８】
実施形態において、前記所定識別子は、前記測定対象のＷＬＡＮアクセスポイントグループのグループ識別子である。
【００１９】
実施形態において、前記ＷＬＡＮ測定設定は、前記測定対象のＷＬＡＮアクセスポイントグループ内の各ＷＬＡＮ対応アクセスポイントの識別子をさらに含む。
【００２０】
実施形態において、前記制御部は、前記ＷＬＡＮ測定設定とは異なる通知情報を前記ＷＷＡＮ対応基地局又はコアネットワークからから受信する処理をさらに行う。前記通知情報は、ＷＬＡＮアクセスポイントグループのグループ識別子、及び、当該ＷＬＡＮアクセスポイントグループ内の各ＷＬＡＮ対応アクセスポイントの識別子を含む。
【００２１】
実施形態に係る無線端末は、ＷＷＡＮ対応基地局とのＷＷＡＮ通信を行う。前記無線端末は、ＲＲＣコネクティッドモードにおいて、ＷＬＡＮ測定報告を設定するためのＷＬＡＮ測定設定を前記ＷＷＡＮ対応基地局から受信する処理を行う制御部を備える。前記制御部は、前記ＲＲＣコネクティッドモードからＲＲＣアイドルモードに遷移した場合、前記ＲＲＣアイドルモードにおいて前記ＷＬＡＮ測定設定を保持する。
【００２２】
実施形態において、前記制御部は、前記ＷＷＡＮ対応基地局からの切り替え指示に応じてＷＬＡＮ対応アクセスポイントへの切り替えを行った場合、前記ＲＲＣコネクティッドモードから前記ＲＲＣアイドルモードに遷移し、前記ＲＲＣアイドルモードにおいて前記ＷＬＡＮ測定設定を保持する。
【００２３】
実施形態において、前記ＷＬＡＮ測定設定は、前記切り替え指示に含まれている。
【００２４】
実施形態において、前記制御部は、前記ＷＬＡＮ測定設定を保持すべき旨の設定情報を前記ＷＷＡＮ対応基地局から受信している場合に限り、前記ＲＲＣアイドルモードにおいて前記ＷＬＡＮ測定設定を保持する。
【００２５】
実施形態において、前記制御部は、前記ＷＬＡＮ測定設定を保持すべき期間を示す期間情報を前記ＷＷＡＮ対応基地局から受信する処理を行う。前記制御部は、前記ＲＲＣコネクティッドモードから前記ＲＲＣアイドルモードに遷移してから、前記期間情報が示す期間にわたって前記ＷＬＡＮ測定設定を保持する。
【００２６】
実施形態において、前記ＷＬＡＮ測定設定は、測定対象のＷＬＡＮアクセスポイントグループと関連付けられた所定識別子を含む。前記制御部は、前記ＷＬＡＮ測定設定に基づいて、前記ＲＲＣアイドルモードにおいて前記測定対象のＷＬＡＮアクセスポイントグループに対する測定を行う。
【００２７】
実施形態において、前記制御部は、前記ＲＲＣアイドルモードにおいて、前記測定対象のＷＬＡＮアクセスポイントグループの発見又は測定結果に基づいて、前記ＲＲＣアイドルモードから前記ＲＲＣコネクティッドモードに遷移する。
【００２８】
実施形態において、前記制御部は、前記ＲＲＣコネクティッドモードに遷移すべき旨の設定情報を前記ＷＷＡＮ対応基地局から受信している場合に限り、前記測定対象のＷＬＡＮアクセスポイントグループの発見又は測定結果に基づいて、前記ＲＲＣアイドルモードから前記ＲＲＣコネクティッドモードに遷移する。
【００２９】
［第１実施形態］
以下において、第１実施形態について説明する。
【００３０】
第１実施形態において、ＷＷＡＮシステムがＬＴＥ（Ｌｏｎｇ  Ｔｅｒｍ  Ｅｖｏｌｕｔｉｏｎ）システムである一例を説明する。ＬＴＥシステムは、標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）において仕様が策定されているシステムである。
【００３１】
（システム構成）
図１は、第１実施形態に係る通信システムの構成を示す図である。
【００３２】
図１に示すように、第１実施形態に係る通信システムは、ＵＥ（Ｕｓｅｒ  Ｅｑｕｉｐｍｅｎｔ）１００、ｅＮＢ（ｅｖｏｌｖｅｄ  Ｎｏｄｅ−Ｂ）２００、ＷＬＡＮ対応アクセスポイント（ＷＬＡＮ  ＡＰ）３００、ＷＴ（ＷＬＡＮ  Ｔｅｒｍｉｎａｔｉｏｎ）４００、及びＥＰＣ（Ｅｖｏｌｖｅｄ  Ｐａｃｋｅｔ  Ｃｏｒｅ）５００を備える。ＵＥ１００は、無線端末に相当する。ｅＮＢ２００は、ＷＷＡＮ対応基地局に相当する。ｅＮＢ２００及びＥＰＣ５００は、ＷＷＡＮ（ＬＴＥネットワーク）を構成する。ＷＬＡＮ  ＡＰ３００及びＷＴ４００は、ＷＬＡＮを構成する。但し、通信システムは、ＷＴ４００を備えていなくてもよい。
【００３３】
ＵＥ１００は、ＷＷＡＮ通信（ＬＴＥ通信）及びＷＬＡＮ通信の両通信方式に対応した移動型の装置である。ＵＥ１００は、ＷＷＡＮ・ＷＬＡＮ協調技術をサポートする。ＵＥ１００の構成については後述する。
【００３４】
ｅＮＢ２００は、１又は複数のセルを管理し、自セルに接続したＵＥ１００とのＬＴＥ通信を行う装置である。ＵＥ１００の構成については後述する。
【００３５】
ｅＮＢ２００は、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）を構成する。ｅＮＢ２００は、Ｘ２インターフェイスを介して隣接ｅＮＢと接続される。ｅＮＢ２００は、無線リソース管理（ＲＲＭ）機能、ユーザデータ（以下、単に「データ」という）のルーティング機能、モビリティ制御・スケジューリングのための測定制御機能等を有する。ｅＮＢ２００の構成については後述する。なお、「セル」は、無線通信エリア（カバレッジ）の最小単位を示す用語として用いられる他に、ＵＥ１００との無線通信を行う機能を示す用語としても用いられる。
【００３６】
ＷＬＡＮ  ＡＰ３００は、自ＡＰに接続したＵＥ１００とのＷＬＡＮ通信を行う装置である。図１において、ｅＮＢ２００のセルカバレッジ内に４つのＷＬＡＮ  ＡＰ３００−１乃至３００−４が設けられる一例を示している。なお、ｅＮＢ２００がＷＬＡＮ  ＡＰの機能も有していてもよい。そのようなシナリオは、Ｃｏｌｌｏｃａｔｅｄシナリオと称される。
【００３７】
ＷＴ４００は、ｅＮＢ２００との直接的なインターフェイスであるＸｗインターフェイスを終端する装置である。ＷＴ４００は、複数のＷＬＡＮ  ＡＰ３００を収容する。図１において、ＷＴ４００−１が２つのＷＬＡＮ  ＡＰ３００−１及び３００−２を収容し、かつ、ＷＴ４００−２が２つのＷＬＡＮ  ＡＰ３００−３及び３００−４を収容する一例を示している。
【００３８】
また、第１実施形態において、ＷＬＡＮ  ＡＰ３００−１及び３００−２は、ＷＬＡＮ  ＡＰグループＡを構成する。ＷＬＡＮ  ＡＰ３００−３及び３００−４は、ＷＬＡＮ  ＡＰグループＢを構成する。図１において、ＷＬＡＮ  ＡＰグループが、同一のＷＴ４００に収容されるＷＬＡＮ  ＡＰ３００により構成される一例を示している。しかしながら、ＷＬＡＮ  ＡＰグループは、異なるＷＴ４００に収容されるＷＬＡＮ  ＡＰ３００により構成されてもよい。
【００３９】
ここで、ＷＬＡＮ  ＡＰグループとは、ｅＮＢ２００の指示に依存せずにＷＬＡＮ  ＡＰ３００間の切り替え制御をＵＥ１００が自律的に行うことができるグループである。ＵＥ１００は、ＷＬＡＮモビリティ制御機能を用いて、ｅＮＢ２００からの指示が無くとも、同一のＷＬＡＮ  ＡＰグループ内の一のＷＬＡＮ  ＡＰから他のＷＬＡＮ  ＡＰへＷＬＡＮ通信を切り替えることができる。一方、異なるＷＬＡＮ  ＡＰグループ間の切り替えについてはｅＮＢ２００が制御する。
【００４０】
ＥＰＣ５００は、Ｓ１インターフェイスを介してｅＮＢ２００と接続される。ＥＰＣ５００は、コアネットワークに相当する。ＥＰＣ５００は、ＭＭＥ（Ｍｏｂｉｌｉｔｙ  Ｍａｎａｇｅｍｅｎｔ  Ｅｎｔｉｔｙ）及びＳ−ＧＷ（Ｓｅｒｖｉｎｇ−Ｇａｔｅｗａｙ）を含む。ＭＭＥは、ＵＥ１００に対する各種モビリティ制御等を行う。Ｓ−ＧＷは、データの転送制御を行う。
【００４１】
（ＬＴＥプロトコル）
図２は、ＬＴＥシステムにおける無線インターフェイスのプロトコルスタック図である。図２に示すように、無線インターフェイスプロトコルは、ＯＳＩ参照モデルの第１層乃至第３層に区分されており、第１層は物理（ＰＨＹ）層である。第２層は、ＭＡＣ（Ｍｅｄｉｕｍ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、及びＰＤＣＰ（Ｐａｃｋｅｔ  Ｄａｔａ  Ｃｏｎｖｅｒｇｅｎｃｅ  Ｐｒｏｔｏｃｏｌ）層を含む。第３層は、ＲＲＣ（Ｒａｄｉｏ  Ｒｅｓｏｕｒｃｅ  Ｃｏｎｔｒｏｌ）層を含む。
【００４２】
物理層は、符号化・復号、変調・復調、アンテナマッピング・デマッピング、及びリソースマッピング・デマッピングを行う。ＵＥ１００の物理層とｅＮＢ２００の物理層との間では、物理チャネルを介してデータ及び制御信号が伝送される。
【００４３】
ＭＡＣ層は、データの優先制御、ハイブリッドＡＲＱ（ＨＡＲＱ）による再送処理、及びランダムアクセス手順等を行う。ＵＥ１００のＭＡＣ層とｅＮＢ２００のＭＡＣ層との間では、トランスポートチャネルを介してデータ及び制御信号が伝送される。ｅＮＢ２００のＭＡＣ層は、上下リンクのトランスポートフォーマット（トランスポートブロックサイズ、変調・符号化方式（ＭＣＳ））及びＵＥ１００への割当リソースブロックを決定するスケジューラを含む。
【００４４】
ＲＬＣ層は、ＭＡＣ層及び物理層の機能を利用してデータを受信側のＲＬＣ層に伝送する。ＵＥ１００のＲＬＣ層とｅＮＢ２００のＲＬＣ層との間では、論理チャネルを介してデータ及び制御信号が伝送される。
【００４５】
ＰＤＣＰ層は、ヘッダ圧縮・伸張、及び暗号化・復号化を行う。
【００４６】
ＲＲＣ層は、制御信号を取り扱う制御プレーンでのみ定義される。ＵＥ１００のＲＲＣ層とｅＮＢ２００のＲＲＣ層との間では、各種設定のためのメッセージ（ＲＲＣメッセージ）が伝送される。ＲＲＣ層は、無線ベアラの確立、再確立及び解放に応じて、論理チャネル、トランスポートチャネル、及び物理チャネルを制御する。ＵＥ１００のＲＲＣとｅＮＢ２００のＲＲＣとの間に接続（ＲＲＣ接続）がある場合、ＵＥ１００はＲＲＣコネクティッドモード（コネクティッドモード）であり、そうでない場合、ＵＥ１００はＲＲＣアイドルモード（アイドルモード）である。
【００４７】
ＲＲＣ層の上位に位置するＮＡＳ（Ｎｏｎ−Ａｃｃｅｓｓ  Ｓｔｒａｔｕｍ）層は、セッション管理及びモビリティ管理等を行う。
【００４８】
（無線端末の構成）
図３は、ＵＥ１００（無線端末）のブロック図である。図３に示すように、ＵＥ１００は、ＬＴＥ通信部（ＷＷＡＮ通信部）１１０、ＷＬＡＮ通信部１２０、及び制御部１３０を備える。
【００４９】
ＬＴＥ通信部１１０は、制御部１３０の制御下でＬＴＥ通信を行う。ＬＴＥ通信部１１０は、ＬＴＥプロトコルの一部を実行してもよい。ＬＴＥ通信部１１０は、アンテナ、送信機、及び受信機を含む。送信機は、制御部１３０が出力するベースバンド信号（送信信号）をＬＴＥ無線信号に変換してアンテナから送信する。受信機は、アンテナが受信するＬＴＥ無線信号をベースバンド信号（受信信号）に変換して制御部１３０に出力する。なお、ＬＴＥ通信は、ライセンスバンドにおいて行われることが一般的である。
【００５０】
ＷＬＡＮ通信部１２０は、制御部１３０の制御下でＷＬＡＮ通信を行う。ＷＬＡＮ通信部１２０は、ＷＬＡＮプロトコルの一部を実行してもよい。ＷＬＡＮ通信部１２０は、アンテナ、送信機、及び受信機を含む。送信機は、制御部１３０が出力するベースバンド信号（送信信号）をＷＬＡＮ無線信号に変換してアンテナから送信する。受信機は、アンテナが受信するＷＬＡＮ無線信号をベースバンド信号（受信信号）に変換して制御部１３０に出力する。なお、ＷＬＡＮ通信は、アンライセンスバンドにおいて行われることが一般的である。
【００５１】
制御部１３０は、ＵＥ１００における各種の制御を行う。制御部１３０は、ＬＴＥプロトコルの一部を実行してもよいし、ＷＬＡＮプロトコルの一部を実行してもよい。制御部１３０は、プロセッサ及びメモリを含む。メモリは、プロセッサにより実行されるプログラム、及びプロセッサによる処理に用いられる情報を記憶する。プロセッサは、ベースバンド信号の変調・復調及び符号化・復号等を行うベースバンドプロセッサと、メモリに記憶されるプログラムを実行して各種の処理を行うＣＰＵ（Ｃｅｎｔｒａｌ  Ｐｒｏｃｅｓｓｉｎｇ  Ｕｎｉｔ）と、を含んでもよい。プロセッサは、後述する各種の処理を実行する。
【００５２】
（基地局の構成）
図４は、ｅＮＢ２００（基地局）のブロック図である。図４に示すように、ｅＮＢ２００は、ＬＴＥ通信部（ＷＷＡＮ通信部）２１０、制御部２３０、及びバックホール通信部２４０を備える。但し、Ｃｏｌｌｏｃａｔｅｄシナリオの場合、ｅＮＢ２００は、ＷＬＡＮ通信部２２０を備えていてもよい。
【００５３】
ＬＴＥ通信部２１０は、制御部２３０の制御下でＬＴＥ通信を行う。ＬＴＥ通信部２１０は、ＬＴＥプロトコルの一部を実行してもよい。ＬＴＥ通信部２１０は、アンテナ、送信機、及び受信機を含む。送信機は、制御部２３０が出力するベースバンド信号（送信信号）をＬＴＥ無線信号に変換してアンテナから送信する。受信機は、アンテナが受信するＬＴＥ無線信号をベースバンド信号（受信信号）に変換して制御部２３０に出力する。
【００５４】
ＷＬＡＮ通信部２２０は、制御部２３０の制御下でＷＬＡＮ通信を行う。ＷＬＡＮ通信部２２０は、ＷＬＡＮプロトコルの一部を実行してもよい。ＷＬＡＮ通信部２２０は、アンテナ、送信機、及び受信機を含む。送信機は、制御部２３０が出力するベースバンド信号（送信信号）をＷＬＡＮ無線信号に変換してアンテナから送信する。受信機は、アンテナが受信するＷＬＡＮ無線信号をベースバンド信号（受信信号）に変換して制御部２３０に出力する。
【００５５】
制御部２３０は、ｅＮＢ２００における各種の制御を行う。制御部２３０は、ＬＴＥプロトコルの一部を実行してもよいし、ＷＬＡＮプロトコルの一部を実行してもよい。制御部２３０は、プロセッサ及びメモリを含む。メモリは、プロセッサにより実行されるプログラム、及びプロセッサによる処理に用いられる情報を記憶する。プロセッサは、ベースバンド信号の変調・復調及び符号化・復号等を行うベースバンドプロセッサと、メモリに記憶されるプログラムを実行して各種の処理を行うＣＰＵ（Ｃｅｎｔｒａｌ  Ｐｒｏｃｅｓｓｉｎｇ  Ｕｎｉｔ）と、を含んでもよい。プロセッサは、後述する各種の処理を実行する。
【００５６】
バックホール通信部２４０は、Ｘ２インターフェイスを介して隣接ｅＮＢ２００と接続され、Ｓ１インターフェイスを介してＥＰＣ５００（ＭＭＥ／Ｓ−ＧＷ）と接続され、Ｘｗインターフェイスを介してＷＴ４００と接続される。バックホール通信部２４０は、Ｘ２インターフェイス上で行う通信、Ｓ１インターフェイス上で行う通信、Ｘｗインターフェイス上で行う通信等に用いられる。
【００５７】
（ＷＬＡＮ  ＡＰグループ間の切り替え制御）
上述したように、異なるＷＬＡＮ  ＡＰグループ間でＵＥ１００がＷＬＡＮ  ＡＰ切り替えを行う場合、ＷＬＡＮ  ＡＰ切り替え制御をｅＮＢ２００が行う。この場合、ＬＴＥにおける測定報告の仕組みをＷＬＡＮ向けに拡張することが考えられる。
【００５８】
第１実施形態において、異なるＷＬＡＮ  ＡＰグループ間におけるＷＬＡＮ  ＡＰ切り替え制御（ＷＬＡＮモビリティ制御）をｅＮＢ２００が適切に行うことを可能とする技術を説明する。
【００５９】
第１実施形態に係るｅＮＢ２００は、ＷＬＡＮ測定報告を設定するためのＷＬＡＮ測定設定（ＷＬＡＮ測定設定情報）をＵＥ１００に送信する。例えば、ｅＮＢ２００は、ＵＥ１００宛ての専用ＲＲＣシグナリングである「ＲＲＣ  Ｃｏｎｎｅｃｔｉｏｎ  Ｒｅｃｏｎｆｉｇｕｒａｔｉｏｎ」メッセージにＷＬＡＮ測定設定を含める。ＵＥ１００は、ＷＬＡＮ測定設定をｅＮＢ２００から受信する。ＷＬＡＮ測定設定は、測定対象のＷＬＡＮ  ＡＰグループと関連付けられた所定識別子を含む。所定識別子は、測定対象のＷＬＡＮ  ＡＰグループ内の各ＷＬＡＮ  ＡＰ３００の識別子と関連付けられている。
【００６０】
このような所定識別子をＷＬＡＮ測定設定に含めることにより、ＵＥ１００は、測定対象のＷＬＡＮ  ＡＰグループに属するＷＬＡＮ  ＡＰ３００を発見及び測定し、ＷＬＡＮ測定報告をｅＮＢ２００に送信することができる。よって、ｅＮＢ２００は、測定対象のＷＬＡＮ  ＡＰグループのカバレッジにＵＥ１００が移動したことを把握し、当該ＷＬＡＮ  ＡＰグループに対するＷＬＡＮモビリティ制御を適切に行うことができる。
【００６１】
（１）動作パターン１
第１実施形態の動作パターン１において、所定識別子は、測定対象を設定する測定対象設定の識別子である。そのような測定対象設定の識別子は、測定対象識別子（ｍｅａｓＯｂｊｅｃｔＩｄ）と称される。
【００６２】
また、第１実施形態の動作パターン１において、ＷＬＡＮ測定設定は、測定対象のＷＬＡＮ  ＡＰグループ内の各ＷＬＡＮ  ＡＰ３００のインデックスを含む。インデックスは、ＷＬＡＮ  ＡＰ３００の識別子に比べてビット長が短い。ＷＬＡＮ  ＡＰ３００の識別子は、例えば、ＳＳＩＤ（Ｓｅｒｖｉｃｅ  Ｓｅｔ  Ｉｄｅｎｔｉｆｉｅｒ）、ＨＥＳＳＩＤ（Ｈｏｍｏｇｅｎｅｏｕｓ  Ｅｘｔｅｎｄｅｄ  Ｓｅｒｖｉｃｅ  Ｓｅｔ  Ｉｄｅｎｔｉｆｉｅｒ）、又はＢＳＳＩＤ（Ｂａｓｉｃ  Ｓｅｒｖｉｃｅ  Ｓｅｔ  Ｉｄｅｎｔｉｆｉｅｒ）等である。
【００６３】
ＷＬＡＮ  ＡＰ３００の識別子とは別に、当該識別子よりも短いインデックスを導入し、インデックスを送受信することにより、シグナリングオーバーヘッドの削減を図ることができる。例えば、一部のＷＬＡＮ  ＡＰ３００のみを測定対象から除去（ｒｅｍｏｖｅ）する際などに、インデックスを用いて当該除去を指示することが可能になる。
【００６４】
（１．１）動作パターン１Ａ
第１実施形態の動作パターン１Ａにおいて、ＷＬＡＮ測定設定は、測定対象のＷＬＡＮ  ＡＰグループ内の各ＷＬＡＮ  ＡＰ３００の識別子をさらに含む。
【００６５】
図５は、第１実施形態の動作パターン１Ａを示すシーケンス図である。図６は、ＷＬＡＮ測定設定の構成を示す図である。図７は、第１実施形態の動作パターン１ＡにおけるＷＬＡＮ測定設定の具体例を示す図である。なお、図７における「Ｎｅｅｄ  ＯＮ」とは、パラメータがオプショナルであることを示し、当該パラメータに対応する値が存在しない場合、ＵＥ１００は現在設定されている値を使用し続ける。
【００６６】
図５に示すように、ステップＳ１０１において、ｅＮＢ２００は、ＷＬＡＮ測定設定をＵＥ１００に送信する。ＵＥ１００は、ＷＬＡＮ測定設定を受信する。
【００６７】
図６に示すように、ＷＬＡＮ測定設定（ＭｅａｓＣｏｎｆｉｇ）は、測定対象（ＭｅａｓＯｂｊｅｃｔ）、報告設定（ＲｅｐｏｒｔＣｏｎｆｉｇ）、及び測定識別子（ＭｅａｓＩＤ）を含む。測定識別子（ＭｅａｓＩＤ）は、測定対象（ＭｅａｓＯｂｊｅｃｔ）と報告設定（ＲｅｐｏｒｔＣｏｎｆｉｇ）とを関連付ける。具体的には、測定識別子（ＭｅａｓＩＤ）は、測定対象（ＭｅａｓＯｂｊｅｃｔ）設定の識別子（ＭｅａｓＯｂｊｅｃｔＩＤ）と報告設定（ＲｅｐｏｒｔＣｏｎｆｉｇ）の識別子（ＲｅｐｏｒｔＣｏｎｆｉｇＩＤ）との組み合わせを示し、ＵＥ１００に測定させる測定対象と報告設定との組み合わせを識別するものである。
【００６８】
図６に示すように、ＷＬＡＮ測定設定（ＭｅａｓＣｏｎｆｉｇ）に含まれる測定対象（ＭｅａｓＯｂｊｅｃｔ）は、除去する測定対象のリスト（ＭｅａｓＯｂｊｅｃｔＴｏＲｅｍｏｖｅＬｉｓｔ）、及び追加・変更する測定対象のリスト（ＭｅａｓＯｂｊｅｃｔＴｏＡｄｄＭｏｄＬｉｓｔ）を含む。
【００６９】
追加・変更する測定対象のリスト（ＭｅａｓＯｂｊｅｃｔＴｏＡｄｄＭｏｄＬｉｓｔ）に含まれる各測定対象（ＭｅａｓＯｂｊｅｃｔＴｏＡｄｄＭｏｄ）は、測定対象識別子（ｍｅａｓＯｂｊｅｃｔＩｄ）及び測定対象（ｍｅａｓＯｂｊｅｃｔ）を含む。測定対象（ｍｅａｓＯｂｊｅｃｔ）は、測定対象ＷＬＡＮ（ＭｅａｓＯｂｊｅｃｔＷＬＡＮ）を含む。
【００７０】
測定対象ＷＬＡＮ（ＭｅａｓＯｂｊｅｃｔＷＬＡＮ）は、測定対象ＷＬＡＮ周波数（ｗｌａｎｃａｒｒｉｅｒＦｒｅｑ）、測定対象から除去するＷＬＡＮ  ＡＰのリスト（ｗｌａｎｓＴｏＲｅｍｏｖｅＬｉｓｔ）、及び測定対象に追加・変更するＷＬＡＮ  ＡＰのリスト（ｗｌａｎｓＴｏＡｄｄＭｏｄＬｉｓｔ）を含む。図７において、測定対象ＷＬＡＮ周波数（ｗｌａｎｃａｒｒｉｅｒＦｒｅｑ）が２．４ＧＨｚ又は５ＧＨｚである一例を示している。測定対象から除去するＷＬＡＮ  ＡＰのリスト（ｗｌａｎｓＴｏＲｅｍｏｖｅＬｉｓｔ）は、ＷＬＡＮ  ＡＰのインデックスのリスト（ｗｌａｎＩｎｄｅｘＬｉｓｔ）を含む。
【００７１】
測定対象に追加・変更するＷＬＡＮ  ＡＰのリスト（ｗｌａｎｓＴｏＡｄｄＭｏｄＬｉｓｔ）に含まれる各ＷＬＡＮ  ＡＰ情報（ＷｌａｎｓＴｏＡｄｄＭｏｄ）は、各ＷＬＡＮ  ＡＰのインデックス（ｗｌａｎＩｎｄｅｘ）及び識別子（ｗｌａｎ−Ｉｄｅｎｔｉｆｉｅｒｓ−ｒ１３）を含む。
【００７２】
ＷＬＡＮ測定設定（ＭｅａｓＣｏｎｆｉｇ）に含まれる報告設定（ＲｅｐｏｒｔＣｏｎｆｉｇ）は、ＷＬＡＮ測定報告のトリガーの種類（ＴｒｉｇｇｅｒＴｙｐｅ）等を含む。第１実施形態において、ＷＬＡＮ測定報告をイベント発生時に送信する「ｅｖｅｎｔ  ｔｒｉｇｇｅｒ  ｒｅｐｏｒｔｉｎｇ」を主として想定する。そのようなイベントとしては、ＷＬＡＮの品質が閾値よりも高くなったというイベント、及びＷＬＡＮの品質が閾値よりも低くなったというイベントが挙げられる。或いは、ＬＴＥの品質が閾値１よりも低くなり、かつ、ＷＬＡＮの品質が閾値２よりも高くなったというイベントであってもよい。ＬＴＥの品質が閾値１よりも高くなり、かつ、ＷＬＡＮの品質が閾値２よりも低くなったというイベントであってもよい。現在のＷＬＡＮの品質が閾値１よりも低くなり、かつ、他のＷＬＡＮの品質が閾値２よりも高くなったというイベントであってもよい。
【００７３】
図１に示すような状況において、ＵＥ１００がＷＬＡＮ  ＡＰグループＢのカバレッジに移動することをｅＮＢ２００が把握したい場合を想定する。この場合、ｅＮＢ２００は、追加・変更する測定対象のリスト（ＭｅａｓＯｂｊｅｃｔＴｏＡｄｄＭｏｄＬｉｓｔ）に、ＷＬＡＮ  ＡＰグループＢに対応する測定対象識別子（ｍｅａｓＯｂｊｅｃｔＩｄ）及び測定対象（ｍｅａｓＯｂｊｅｃｔ）を含める。また、ｅＮＢ２００は、ＷＬＡＮ  ＡＰグループＢに対応する測定対象識別子（ｍｅａｓＯｂｊｅｃｔＩｄ）に、ＷＬＡＮの品質が閾値よりも高くなったというイベントを含む報告設定（ＲｅｐｏｒｔＣｏｎｆｉｇ）を組み合わせる。これにより、ＵＥ１００は、ＷＬＡＮ  ＡＰグループＢに含まれるＷＬＡＮ  ＡＰ３００の品質が閾値よりも高くなった際に、当該ＷＬＡＮ  ＡＰ３００に関するＷＬＡＮ測定報告をｅＮＢ２００に送信する。
【００７４】
図５に示すように、ステップＳ１０２において、ＵＥ１００は、ＷＬＡＮ測定設定（ＭｅａｓＣｏｎｆｉｇ）に基づいて、測定識別子（ＭｅａｓＩＤ）で示された測定を行う。具体的には、ＵＥ１００は、測定識別子（ＭｅａｓＩＤ）に対応する測定対象ＷＬＡＮ（ＭｅａｓＯｂｊｅｃｔＷＬＡＮ）に対するＷＬＡＮ測定を行う。ＷＬＡＮ測定における測定パラメータとしては、例えば、「ＣｈａｎｎｅｌＵｔｉｌｉｚａｔｉｏｎＷＬＡＮ」、「ＢａｃｋｈａｕｌＲａｔｅＤｌＷＬＡＮ」、「ＢａｃｋｈａｕｌＲａｔｅＵｌＷＬＡＮ」、「ＢｅａｃｏｎＲＳＳＩ」等が挙げられる。「ＣｈａｎｎｅｌＵｔｉｌｉｚａｔｉｏｎＷＬＡＮ」はＷＬＡＮビーコン又はプローブ応答に含まれており、ＷＬＡＮチャネル使用率、すなわちＷＬＡＮ無線負荷レベルを示す。「ＢａｃｋｈａｕｌＲａｔｅＤｌＷＬＡＮ」及び「ＢａｃｋｈａｕｌＲａｔｅＵｌＷＬＡＮ」は、ＡＮＱＰ（Ａｃｃｅｓｓ  Ｎｅｔｗｏｒｋ  Ｑｕｅｒｙ  Ｐｒｏｔｏｃｏｌ）により提供され、ＷＬＡＮバックホールの利用可能伝送レート、すなわちＷＬＡＮバックホール負荷レベルを示す。「ＢｅａｃｏｎＲＳＳＩ」は、ＵＥ１００で測定するＷＬＡＮ信号強度を示す。ＷＬＡＮ測定における測定パラメータの種類は、報告設定（ＲｅｐｏｒｔＣｏｎｆｉｇ）により指定されてもよい。
【００７５】
ステップＳ１０３において、ＵＥ１００は、ＷＬＡＮ測定に基づいて、報告設定（ＲｅｐｏｒｔＣｏｎｆｉｇ）により指定されたイベントが発生したと判断する。
【００７６】
ステップＳ１０４において、ＵＥ１００は、ＷＬＡＮ測定報告をｅＮＢ２００に送信する。ｅＮＢ２００は、ＷＬＡＮ測定報告を受信する。ＷＬＡＮ測定報告は、測定識別子（ＭｅａｓＩＤ）、ＷＬＡＮ  ＡＰ識別子（ＷＬＡＮ識別子）、及びＷＬＡＮ測定結果等を含む。なお、ＷＬＡＮ測定結果は、アクセスポイントからＷＬＡＮシステムにより送信される信号を測定した結果を含んでもよい。測定識別子（ＭｅａｓＩＤ）は測定対象識別子（ｍｅａｓＯｂｊｅｃｔＩｄ）と関連付けられているため、ｅＮＢ２００は、測定識別子（ＭｅａｓＩＤ）に基づいてＷＬＡＮ  ＡＰグループを識別することができる。或いは、ＷＬＡＮ測定報告は、測定対象識別子（ｍｅａｓＯｂｊｅｃｔＩｄ）を含んでもよい。或いは、シグナリングオーバーヘッドの削減を図るために、ＷＬＡＮ測定報告は、ＷＬＡＮ  ＡＰの識別子（ＷＬＡＮ識別子）に代えて、ＷＬＡＮ  ＡＰのインデックス（ＷＬＡＮインデックス）を含んでもよい。
【００７７】
ｅＮＢ２００は、ＷＬＡＮ測定報告に基づいて、測定対象のＷＬＡＮ  ＡＰグループのカバレッジにＵＥ１００が移動したことを把握する。また、ｅＮＢ２００は、測定対象のＷＬＡＮ  ＡＰグループに含まれるＷＬＡＮ  ＡＰ３００のうち、ＵＥ１００とのＷＬＡＮ通信を行うべきＷＬＡＮ  ＡＰ３００を決定する。
【００７８】
ステップＳ１０５において、ｅＮＢ２００は、決定したＷＬＡＮ  ＡＰ３００の識別子（ＷＬＡＮ識別子）を含む切り替え指示をＵＥ１００に送信する。ここでＷＬＡＮ  ＡＰの識別子（ＷＬＡＮ識別子）に代えて、ＷＬＡＮ  ＡＰのインデックス（ＷＬＡＮインデックス）を用いてもよい。ＵＥ１００は、切り替え指示を受信する。そのような切り替え指示は、「Ｓｔｅｅｒｉｎｇ  ｃｏｍｍａｎｄ」と称されることがある。第１実施形態において、切り替え指示が、一のＷＬＡＮ  ＡＰ３００から他のＷＬＡＮ  ＡＰ３００に対してＷＬＡＮ通信を切り替えるための指示である場合を想定する。具体的には、切り替え指示は、一のＷＬＡＮ  ＡＰグループに属するＷＬＡＮ  ＡＰ３００から他のＷＬＡＮ  ＡＰグループに属するＷＬＡＮ  ＡＰ３００に対してＷＬＡＮ通信を切り替えるための指示であってもよい。但し、切り替え指示は、ｅＮＢ２００からＷＬＡＮ  ＡＰ３００に対して通信（データ）を切り替えるための指示であってもよい。或いは、切り替え指示は、ｅＮＢ２００との通信及びＡＰ３００との通信をＵＥ１００が同時に行う「ＷＬＡＮ  Ａｇｇｒｅｇａｔｉｏｎ」を開始させる指示であってもよい。「ＷＬＡＮ  Ａｇｇｒｅｇａｔｉｏｎ」の開始指示は、「ＲＲＣ  Ｃｏｎｎｅｃｔｉｏｎ  Ｒｅｃｏｎｆｉｇｕｒａｔｉｏｎ」メッセージによりｅＮＢ２００からＵＥ１００に送信されてもよい。
【００７９】
ステップＳ１０６において、ＵＥ１００は、切り替え指示により指定されたＷＬＡＮ  ＡＰ３００への切り替えを行う。ＵＥ１００は、切り替え指示に対する肯定応答又は否定応答をｅＮＢ２００に送信してもよい。
【００８０】
（１．２）動作パターン１Ｂ
第１実施形態の動作パターン１Ｂにおいて、ｅＮＢ２００は、ＷＬＡＮ測定設定とは異なる通知情報をブロードキャスト又はユニキャストでＵＥ１００に送信する。通知情報は、複数のＷＬＡＮ  ＡＰ３００のそれぞれのインデックス及び識別子を含む。ＵＥ１００は、通知情報を受信する。或いは、ＵＥ１００は、ｅＮＢ２００を介してＥＰＣ５００（コアネットワーク）から通知情報を受信してもよい。例えば、ＵＥ１００は、ＥＰＣ５００に設けられたＡＮＤＳＦ（Ａｃｃｅｓｓ  Ｎｅｔｗｏｒｋ  Ｄｉｓｃｏｖｅｒｙ  ａｎｄ  Ｓｅｌｅｃｔｉｏｎ  Ｆｕｎｃｔｉｏｎ）から通知情報を受信する。
【００８１】
このように、各ＷＬＡＮ  ＡＰ３００のインデックス及び識別子の対応関係をＷＬＡＮ測定設定とは別にＵＥ１００に通知する。これにより、ＷＬＡＮ  ＡＰ３００の識別子をＷＬＡＮ測定設定に含める必要がなく、ＷＬＡＮ  ＡＰ３００のインデックスをＷＬＡＮ測定設定に含めればよい。よって、ＷＬＡＮ測定設定（具体的には、ＭｅａｓＯｂｊｅｃｔＷＬＡＮ）のサイズを小さくすることができる。特に、ＷＬＡＮ測定設定（具体的には、ＭｅａｓＯｂｊｅｃｔＷＬＡＮ）を頻繁に更新する場合、シグナリングオーバーヘッドの削減効果が大きい。
【００８２】
図８は、第１実施形態の動作パターン１Ｂを示すシーケンス図である。ここでは、第１実施形態の動作パターン１Ａとの相違点を主として説明する。
【００８３】
図８に示すように、ステップＳ１３１において、ｅＮＢ２００は、自カバレッジに存在する複数のＷＬＡＮ  ＡＰ３００のそれぞれのインデックス及び識別子を含む通知情報をブロードキャスト又はユニキャストでＵＥ１００に送信する。ＵＥ１００は、通知情報を受信して、受信した通知情報を記憶する。
【００８４】
ブロードキャスト送信の場合、ｅＮＢ２００は、例えばＳＩＢ（Ｓｙｓｔｅｍ  Ｉｎｆｏｒｍａｔｉｏｎ  Ｂｌｏｃｋ）に通知情報を含める。ＷＬＡＮ  ＡＰグループがＵＥ個別ではなく共通の場合、すなわち、どのＵＥ１００に対してもＷＬＡＮ  ＡＰのグルーピングがセル内で共通の場合、ＳＩＢで提供した方がリソース削減になる。一方、ユニキャスト送信の場合、ｅＮＢ２００は、ＵＥ１００宛ての専用ＲＲＣシグナリングである「ＲＲＣ  Ｃｏｎｎｅｃｔｉｏｎ  Ｒｅｃｏｎｆｉｇｕｒａｔｉｏｎ」メッセージに通知情報を含める。
【００８５】
ステップＳ１３２において、ｅＮＢ２００は、ＷＬＡＮ測定設定をＵＥ１００に送信する。ＵＥ１００は、ＷＬＡＮ測定設定を受信する。第１実施形態の動作パターン１Ｂにおいて、ＷＬＡＮ測定設定（具体的には、ＭｅａｓＯｂｊｅｃｔＷＬＡＮ）は、ＷＬＡＮ  ＡＰ３００のインデックスを含むが、ＷＬＡＮ  ＡＰ３００の識別子を含まない。その他の点については、動作パターン１ＡにおけるＷＬＡＮ測定設定と同様である。ＵＥ１００は、記憶している通知情報に基づいて、ＷＬＡＮ測定設定に含まれるＷＬＡＮ  ＡＰ３００のインデックスに対応するＷＬＡＮ識別子を導出する。
【００８６】
その後の動作（ステップＳ１３３乃至Ｓ１３７）については、第１実施形態の動作パターン１Ａと同様である。
【００８７】
（２）動作パターン２
第１実施形態の動作パターン２において、測定対象のＷＬＡＮ  ＡＰグループと関連付けられた所定識別子は、測定対象のＷＬＡＮ  ＡＰグループのグループ識別子である。
【００８８】
（２．１）動作パターン２Ａ
第１実施形態の動作パターン２Ａにおいて、ＷＬＡＮ測定設定は、測定対象のＷＬＡＮ  ＡＰグループ内の各ＷＬＡＮ  ＡＰ３００の識別子をさらに含む。
【００８９】
図９は、第１実施形態の動作パターン２Ａを示すシーケンス図である。ここでは、第１実施形態の動作パターン１Ａとの相違点を主として説明する。
【００９０】
図９に示すように、ステップＳ１５１において、ｅＮＢ２００は、ＷＬＡＮ測定設定をＵＥ１００に送信する。ＵＥ１００は、ＷＬＡＮ測定設定を受信する。
【００９１】
第１実施形態の動作パターン２Ａにおいて、ＷＬＡＮ測定設定（ＭｅａｓＣｏｎｆｉｇ）に含まれる測定対象（ＭｅａｓＯｂｊｅｃｔ）は、除去する測定対象のリスト（ＭｅａｓＯｂｊｅｃｔＴｏＲｅｍｏｖｅＬｉｓｔ）、及び追加・変更する測定対象のリスト（ＭｅａｓＯｂｊｅｃｔＴｏＡｄｄＭｏｄＬｉｓｔ）を含む。
【００９２】
追加・変更する測定対象のリスト（ＭｅａｓＯｂｊｅｃｔＴｏＡｄｄＭｏｄＬｉｓｔ）に含まれる各測定対象（ＭｅａｓＯｂｊｅｃｔＴｏＡｄｄＭｏｄ）は、測定対象識別子（ｍｅａｓＯｂｊｅｃｔＩｄ）及び測定対象（ｍｅａｓＯｂｊｅｃｔ）を含む。測定対象（ｍｅａｓＯｂｊｅｃｔ）は、測定対象ＷＬＡＮ（ＭｅａｓＯｂｊｅｃｔＷＬＡＮ）を含む。測定対象ＷＬＡＮ（ＭｅａｓＯｂｊｅｃｔＷＬＡＮ）は、グループ識別子を含む。
【００９３】
測定対象ＷＬＡＮ（ＭｅａｓＯｂｊｅｃｔＷＬＡＮ）は、測定対象ＷＬＡＮ周波数（ｗｌａｎｃａｒｒｉｅｒＦｒｅｑ）、測定対象から除去するＷＬＡＮ  ＡＰのリスト（ｗｌａｎｓＴｏＲｅｍｏｖｅＬｉｓｔ）、及び測定対象に追加・変更するＷＬＡＮ  ＡＰのリスト（ｗｌａｎｓＴｏＡｄｄＭｏｄＬｉｓｔ）を含む。測定対象から除去するＷＬＡＮ  ＡＰのリスト（ｗｌａｎｓＴｏＲｅｍｏｖｅＬｉｓｔ）は、ＷＬＡＮ  ＡＰの識別子（ＷＬＡＮ識別子）のリストを含む。ｗｌａｎｓＴｏＡｄｄＭｏｄＬｉｓｔに含まれる各ＷＬＡＮ  ＡＰ情報（ＷｌａｎｓＴｏＡｄｄＭｏｄ）は、各ＷＬＡＮ  ＡＰの識別子（ｗｌａｎ−Ｉｄｅｎｔｉｆｉｅｒｓ−ｒ１３）を含む。
【００９４】
ステップＳ１５２において、ＵＥ１００は、ＷＬＡＮ測定設定（ＭｅａｓＣｏｎｆｉｇ）に基づいて、測定識別子（ＭｅａｓＩＤ）で示された測定を行う。具体的には、ＵＥ１００は、測定識別子（ＭｅａｓＩＤ）に対応する測定対象ＷＬＡＮ（ＭｅａｓＯｂｊｅｃｔＷＬＡＮ）に対するＷＬＡＮ測定を行う。
【００９５】
ステップＳ１５３において、ＵＥ１００は、ＷＬＡＮ測定に基づいて、報告設定（ＲｅｐｏｒｔＣｏｎｆｉｇ）により指定されたイベントが発生したと判断する。
【００９６】
ステップＳ１５４において、ＵＥ１００は、ＷＬＡＮ測定報告をｅＮＢ２００に送信する。ｅＮＢ２００は、ＷＬＡＮ測定報告を受信する。ＷＬＡＮ測定報告は、グループ識別子、ＷＬＡＮ  ＡＰ識別子（ＷＬＡＮ識別子）、及びＷＬＡＮ測定結果等を含む。ｅＮＢ２００は、グループ識別子に基づいてＷＬＡＮ  ＡＰグループを識別することができる。なお、ＷＬＡＮ測定報告は、ＷＬＡＮ  ＡＰ識別子（ＷＬＡＮ識別子）を含むが、グループ識別子を含まないとしてもよい。ｅＮＢ２００がＷＬＡＮ識別子を受け取ることでＷＬＡＮ  ＡＰグループを一意に特定できるのであれば、グループ識別子が不要である可能性があるからである。或いは、ＷＬＡＮ測定報告は、グループ識別子を含むが、ＷＬＡＮ識別子を含まないとしてもよい。ＵＥ１００がＷＬＡＮに初期接続する場合には、ＷＬＡＮ識別子までは必要としない可能性があるからである。
【００９７】
ｅＮＢ２００は、ＷＬＡＮ測定報告に基づいて、測定対象のＷＬＡＮ  ＡＰグループのカバレッジにＵＥ１００が移動したことを把握する。また、ｅＮＢ２００は、測定対象のＷＬＡＮ  ＡＰグループに含まれるＷＬＡＮ  ＡＰ３００のうち、ＵＥ１００とのＷＬＡＮ通信を行うべきＷＬＡＮ  ＡＰ３００を決定する。
【００９８】
ステップＳ１５５において、ｅＮＢ２００は、決定したＷＬＡＮ  ＡＰ３００の識別子（ＷＬＡＮ識別子）を含む切り替え指示をＵＥ１００に送信する。ＵＥ１００は、切り替え指示を受信する。或いは、シグナリングオーバーヘッドの削減を図るために、切り替え指示は、ＷＬＡＮ  ＡＰの識別子（ＷＬＡＮ識別子）に代えて、グループ識別子を含んでもよい。また、１つのＷＬＡＮ  ＡＰが２つ以上のグループに属しているような特殊ケースを想定した場合、当該１つのＷＬＡＮ  ＡＰを媒介して、ＵＥ１００が数珠つなぎのように複数グループを勝手に行き来してしまう虞がある。切り替え指示において、トラフィックを移行する「グループ」を明示的に指定することで、このような動作を防ぐ効果が期待される。
【００９９】
ステップＳ１５６において、ＵＥ１００は、切り替え指示により指定されたＷＬＡＮ  ＡＰ３００（又は指定されたＷＬＡＮ  ＡＰグループ）への切り替えを行う。或いは、切り替え指示は、ｅＮＢ２００との通信及びＡＰ３００との通信をＵＥ１００が同時に行う「ＷＬＡＮ  Ａｇｇｒｅｇａｔｉｏｎ」を開始させる指示であってもよい。ＵＥ１００は、切り替え指示に対する肯定応答又は否定応答をｅＮＢ２００に送信してもよい。
【０１００】
（２．２）動作パターン２Ｂ
第１実施形態の動作パターン２Ｂにおいて、ｅＮＢ２００は、ＷＬＡＮ測定設定とは異なる通知情報をブロードキャスト又はユニキャストでＵＥ１００に送信する。通知情報は、ＷＬＡＮ  ＡＰグループのグループ識別子、及び、当該ＷＬＡＮ  ＡＰグループ内の各ＷＬＡＮ  ＡＰ３００の識別子を含む。ＵＥ１００は、通知情報を受信する。或いは、ＵＥ１００は、ｅＮＢ２００を介してＥＰＣ５００（コアネットワーク）から通知情報を受信してもよい。例えば、ＵＥ１００は、ＥＰＣ５００に設けられたＡＮＤＳＦから通知情報を受信する。
【０１０１】
このように、ＷＬＡＮ  ＡＰグループのグループ識別子と当該ＷＬＡＮ  ＡＰグループ内の各ＷＬＡＮ  ＡＰ３００の識別子との対応関係をＷＬＡＮ測定設定とは別にＵＥ１００に通知する。これにより、ＷＬＡＮ  ＡＰ３００の識別子をＷＬＡＮ測定設定に含める必要がなく、測定対象のＷＬＡＮ  ＡＰグループのグループ識別子をＷＬＡＮ測定設定に含めればよい。よって、ＷＬＡＮ測定設定（具体的には、ＭｅａｓＯｂｊｅｃｔＷＬＡＮ）のサイズを小さくすることができる。特に、ＷＬＡＮ測定設定（具体的には、ＭｅａｓＯｂｊｅｃｔＷＬＡＮ）を頻繁に更新する場合、シグナリングオーバーヘッドの削減効果が大きい。
【０１０２】
図１０は、第１実施形態の動作パターン２Ｂを示すシーケンス図である。ここでは、第１実施形態の動作パターン２Ａとの相違点を主として説明する。
【０１０３】
図１０に示すように、ステップＳ１７１において、ｅＮＢ２００は、自カバレッジに存在するＷＬＡＮ  ＡＰグループのグループ識別子及び当該ＷＬＡＮ  ＡＰグループ内の各ＷＬＡＮ  ＡＰ３００の識別子を含む通知情報をブロードキャスト又はユニキャストでＵＥ１００に送信する。ＵＥ１００は、通知情報を受信して、受信した通知情報を記憶する。
【０１０４】
ブロードキャスト送信の場合、ｅＮＢ２００は、例えばＳＩＢ（Ｓｙｓｔｅｍ  Ｉｎｆｏｒｍａｔｉｏｎ  Ｂｌｏｃｋ）に通知情報を含める。一方、ユニキャスト送信の場合、ｅＮＢ２００は、ＵＥ１００宛ての専用ＲＲＣシグナリングである「ＲＲＣ  Ｃｏｎｎｅｃｔｉｏｎ  Ｒｅｃｏｎｆｉｇｕｒａｔｉｏｎ」メッセージに通知情報を含める。
【０１０５】
ステップＳ１７２において、ｅＮＢ２００は、ＷＬＡＮ測定設定をＵＥ１００に送信する。ＵＥ１００は、ＷＬＡＮ測定設定を受信する。第１実施形態の動作パターン２Ｂにおいて、ＷＬＡＮ測定設定（具体的には、ＭｅａｓＯｂｊｅｃｔＷＬＡＮ）は、測定対象のＷＬＡＮ  ＡＰグループのグループ識別子を含むが、ＷＬＡＮ  ＡＰ３００の識別子を含まない。その他の点については、動作パターン２ＡにおけるＷＬＡＮ測定設定と同様である。ＵＥ１００は、記憶している通知情報に基づいて、ＷＬＡＮ測定設定に含まれるグループ識別子に対応する各ＷＬＡＮ識別子を導出する。
【０１０６】
その後の動作（ステップＳ１７３乃至Ｓ１７７）については、第１実施形態の動作パターン２Ａと同様である。
【０１０７】
（ｅＮＢ間のハンドオーバ制御）
次に、ｅＮＢ間のハンドオーバ制御について説明する。
【０１０８】
ｅＮＢ間ハンドオーバの際、ソースｅＮＢからターゲットｅＮＢに対して、ソースｅＮＢがＵＥ１００に設定している各種の設定情報を通知する。このような設定情報は、ＵＥコンテキスト情報と称される。また、ＵＥコンテキスト情報は、「Ｈａｎｄｏｖｅｒ  Ｐｒｅｐａｒａｔｉｏｎ  Ｉｎｆｏｒｍａｔｉｏｎ」メッセージとして、ソースｅＮＢからターゲットｅＮＢに対してＸ２インターフェイス経由で送信される。「Ｈａｎｄｏｖｅｒ  Ｐｒｅｐａｒａｔｉｏｎ  Ｉｎｆｏｒｍａｔｉｏｎ」メッセージは、ソースｅＮＢがＵＥ１００に設定しているＲＲＣ設定情報（ＡＳ−Ｃｏｎｆｉｇ）を含む。ＲＲＣ設定情報（ＡＳ−Ｃｏｎｆｉｇ）は、ＷＬＡＮ測定設定（ＭｅａｓＣｏｎｆｉｇ）を含む。
【０１０９】
上述したように、ＷＬＡＮ測定設定（ＭｅａｓＣｏｎｆｉｇ）は、測定対象のＷＬＡＮ  ＡＰグループに含まれる各ＷＬＡＮ  ＡＰ３００の識別子（及びインデックス）を含み得る。このため、「Ｈａｎｄｏｖｅｒ  Ｐｒｅｐａｒａｔｉｏｎ  Ｉｎｆｏｒｍａｔｉｏｎ」メッセージの情報量が大きくなり、ｅＮＢ間のシグナリングオーバーヘッドが大きくなる。
【０１１０】
図１１は、第１実施形態に係るｅＮＢ間ハンドオーバ制御を説明するための図である。ここでは、ＵＥ１００がソースｅＮＢ２００−１からターゲットｅＮＢ２００−２に対してハンドオーバを行う場合を想定する。
【０１１１】
図１１に示すように、ソースｅＮＢ２００−１のカバレッジにはＷＬＡＮ  ＡＰグループＡ及びＢが存在する。ターゲットｅＮＢ２００−２のカバレッジにはＷＬＡＮ  ＡＰグループＢ及びＣが存在する。ＷＬＡＮ  ＡＰグループＡ、Ｂ、Ｃには、測定対象識別子（オブジェクトＩＤ）＃０、＃１、＃２がそれぞれ関連付けられている。
【０１１２】
ＷＬＡＮ  ＡＰグループＡは、識別子（ＳＳＩＤ）＃１を有するＷＬＡＮ  ＡＰ３００−１と識別子（ＳＳＩＤ）＃２を有するＷＬＡＮ  ＡＰ３００−２とを含む。ＷＬＡＮ  ＡＰグループＢは、識別子（ＳＳＩＤ）＃３を有するＷＬＡＮ  ＡＰ３００−３と識別子（ＳＳＩＤ）＃４を有するＷＬＡＮ  ＡＰ３００−４とを含む。ＷＬＡＮ  ＡＰグループＣは、識別子（ＳＳＩＤ）＃５を有するＷＬＡＮ  ＡＰ３００−５と識別子（ＳＳＩＤ）＃６を有するＷＬＡＮ  ＡＰ３００−６とを含む。
【０１１３】
このような環境において、ソースｅＮＢ２００−１及びターゲットｅＮＢ２００−２を管理するＯＡＭ（Ｏｐｅｒａｔｉｏｎ  Ａｄｍｉｎｉｓｔｒａｔｉｏｎ  Ｍａｉｎｔｅｎａｎｃｅ）６００は、ＷＬＡＮ  ＡＰグループ、その測定対象識別子（オブジェクトＩＤ）、及びそのＷＬＡＮ  ＡＰグループに含まれる各ＷＬＡＮ  ＡＰ３００の識別子（ＳＳＩＤ）を一括管理し、管理している情報を各ｅＮＢ２００と共有する。すなわち、各ｅＮＢ２００（ソースｅＮＢ２００−１及びターゲットｅＮＢ２００−２）は、自カバレッジに存在するＷＬＡＮ  ＡＰグループ、その測定対象識別子、及びそのＷＬＡＮ  ＡＰグループに含まれる各ＷＬＡＮ  ＡＰ３００の識別子をＯＡＭ６００から予め取得する。
【０１１４】
そして、各ｅＮＢ２００は、自ｅＮＢ２００のカバレッジに存在するＷＬＡＮアクセスポイントグループに関するＷＬＡＮグループ情報を記憶する。ＷＬＡＮグループ情報は、ＷＬＡＮアクセスポイントグループを示す所定識別子、及びＷＬＡＮアクセスポイントグループ内の各ＷＬＡＮ対応アクセスポイントの識別子を含む。所定識別子は、ＷＬＡＮアクセスポイントグループのグループ識別子である。或いは、所定識別子は、ＵＥ１００に測定対象を設定するための測定対象設定の識別子（オブジェクトＩＤ）である。
【０１１５】
（１）動作パターン１
図１２は、第１実施形態に係るｅＮＢ間ハンドオーバ制御の動作パターン１を示すシーケンス図である。本シーケンスに先立ち、ソースｅＮＢ２００−１は、ハンドオーバのための通常の測定設定をＵＥ１００に設定している。また、ソースｅＮＢ２００−１は、測定対象のＷＬＡＮアクセスポイントグループを示す所定識別子（測定対象識別子及び／又はグループ識別子）をＷＬＡＮ測定設定の一部としてＵＥ１００に設定している。図１１に示す状況を想定すると、ソースｅＮＢ２００−１は、グループＡを示す所定識別子及びグループＢを示す所定識別子をＵＥ１００に設定している。
【０１１６】
図１２に示すように、ステップＳ２０１において、ソースｅＮＢ２００−１は、上りリンク無線リソースをＵＥ１００に割り当てる（ＵＬ  ａｌｌｏｃａｔｉｏｎ）。
【０１１７】
ステップＳ２０２において、ＵＥ１００は、割り当てられた上りリンク無線リソースを用いて、ターゲットｅＮＢ２００−２のセルに関する測定報告（Ｍｅａｓｕｒｅｍｅｎｔ  Ｒｅｐｏｒｔ）をソースｅＮＢ２００−１に送信する。
【０１１８】
ステップＳ２０３において、ソースｅＮＢ２００−１は、ターゲットｅＮＢ２００−２のセルに関する測定報告（Ｍｅａｓｕｒｅｍｅｎｔ  Ｒｅｐｏｒｔ）に基づいて、ターゲットｅＮＢ２００−２のセルへのＵＥ１００のハンドオーバを決定する。
【０１１９】
ステップＳ２０４において、ソースｅＮＢ２００−１は、ハンドオーバ準備情報（Ｈａｎｄｏｖｅｒ  Ｐｒｅｐａｒａｔｉｏｎ  Ｉｎｆｏｒｍａｔｉｏｎ）をターゲットｅＮＢ２００−２に通知する。具体的には、ソースｅＮＢ２００−１は、Ｘ２インターフェイス上で送信するハンドオーバ要求（Ｈａｎｄｏｖｅｒ  Ｒｅｑｕｅｓｔ）にハンドオーバ準備情報を含める。ハンドオーバ準備情報は、ＵＥ１００に設定されている所定識別子（測定対象識別子及び／又はグループ識別子）を含む。ここで、ハンドオーバ準備情報は、ＵＥ１００に設定されている所定識別子（測定対象識別子及び／又はグループ識別子）を含むものの、ＷＬＡＮ  ＡＰ３００の識別子（ＷＬＡＮ識別子）を含まない。
【０１２０】
図１１に示す状況を想定すると、ソースｅＮＢ２００−１は、グループＡを示す所定識別子及びグループＢを示す所定識別子をハンドオーバ準備情報に含める。但し、ソースｅＮＢ２００−１は、グループＡのＷＬＡＮ識別子（ＳＳＩＤ＃１、＃２）及びグループＢのＷＬＡＮ識別子（ＳＳＩＤ＃３、＃４）をハンドオーバ準備情報に含めない。
【０１２１】
ターゲットｅＮＢ２００−２は、ハンドオーバ準備情報を含むハンドオーバ要求をソースｅＮＢ２００−１から受信する。
【０１２２】
ステップＳ２０５において、ターゲットｅＮＢ２００−２は、ソースｅＮＢ２００−１からのハンドオーバ要求に基づいて、ＵＥ１００のハンドオーバを承諾するか否かを判断する。ここでは、ＵＥ１００のハンドオーバを承諾すると仮定して説明を進める。また、ターゲットｅＮＢ２００−２は、ハンドオーバ準備情報に基づいて、ＵＥ１００に設定されているＷＬＡＮ測定設定を変更するか否かを判断する。具体的には、ターゲットｅＮＢ２００−２は、ターゲットセルのカバレッジに存在するＷＬＡＮ  ＡＰグループを測定対象とするように、ＵＥ１００に設定されているＷＬＡＮ測定設定の変更を判断する。図１１に示す状況を想定すると、ターゲットｅＮＢ２００−２は、グループＡを測定対象から除去し、グループＢを測定対象として維持し、グループＣを測定対象として追加すると判断する。そして、ターゲットｅＮＢ２００−２は、ＵＥ１００に設定するＷＬＡＮ測定設定を含むＲＲＣ設定情報（ＲＲＣ  Ｃｏｎｔａｉｎｅｒ）を生成する。
【０１２３】
ステップＳ２０６において、ターゲットｅＮＢ２００−２は、ＵＥ１００に設定されているＷＬＡＮ測定設定を変更するための情報（ＲＲＣ  Ｃｏｎｔａｉｎｅｒ）を含むハンドオーバ指示（Ｈａｎｄｏｖｅｒ  ｃｏｍｍａｎｄ）をソースｅＮＢ２００−１に送信する。具体的には、ターゲットｅＮＢ２００−２は、Ｘ２インターフェイス上で送信するハンドオーバ承諾応答（Ｈａｎｄｏｖｅｒ  Ｒｅｑｕｅｓｔ  Ａｃｋ）にハンドオーバ指示を含める。ハンドオーバ指示は、ソースｅＮＢ２００−１を介してターゲットｅＮＢ２００−２からＵＥ１００に通知される。
【０１２４】
ステップＳ２０７において、ソースｅＮＢ２００−１は、下りリンク無線リソースをＵＥ１００に割り当てる（ＤＬ  ａｌｌｏｃａｔｉｏｎ）。
【０１２５】
ステップＳ２０８において、ソースｅＮＢ２００−１は、割り当てた下りリンク無線リソースを用いて、ターゲットｅＮＢ２００−２のハンドオーバ指示を含むモビリティ制御情報（ｍｏｂｉｌｉｔｙＣｏｎｔｒｏｌｉｎｆｏｍａｔｉｏｎ）をＵＥ１００に送信する。具体的には、ソースｅＮＢ２００−１は、「ＲＲＣ  Ｃｏｎｎｅｃｔｉｏｎ  Ｒｅｃｏｎｆｉｇｕｒａｔｉｏｎ」メッセージにモビリティ制御情報を含める。
【０１２６】
ＵＥ１００は、「ＲＲＣ  Ｃｏｎｎｅｃｔｉｏｎ  Ｒｅｃｏｎｆｉｇｕｒａｔｉｏｎ」メッセージを受信する。ＵＥ１００は、モビリティ制御情報に含まれるハンドオーバ指示の情報（ＲＲＣ  Ｃｏｎｔａｉｎｅｒ）に従ってＷＬＡＮ測定設定を更新する。これにより、ターゲットｅＮＢ２００−２により決定されたＷＬＡＮ測定設定がＵＥ１００に設定される。
【０１２７】
ステップＳ２０９において、ＵＥ１００は、ソースｅＮＢ２００−１のセルからデタッチし、ターゲットｅＮＢ２００−２のセルに同期することにより、ハンドオーバを実行する。ハンドオーバ後において、ＵＥ１００は、ターゲットｅＮＢ２００−２により決定されたＷＬＡＮ測定設定に従ってＷＬＡＮ測定を行う。
【０１２８】
（２）動作パターン２
ｅＮＢ間ハンドオーバ制御の動作パターン１において、ＷＬＡＮ測定設定（ＷＬＡＮグループ情報）がＵＥ固有である場合を想定していた。一方、ＷＬＡＮ測定設定がセル固有（ｅＮＢ固有）である場合、ソースｅＮＢ２００−１及びターゲットｅＮＢ２００−２は、ＵＥ１００ごとにＷＬＡＮ測定設定を通知しなくてもよい。すなわち、ターゲットｅＮＢ２００−２（ターゲットセル）に接続する全てのＵＥ１００に同じＷＬＡＮ測定設定が適用されるので、ソースｅＮＢ２００−１は、予めターゲットｅＮＢ２００−２のＷＬＡＮ測定設定を取得してもよい。
【０１２９】
図１３は、第１実施形態に係るｅＮＢ間ハンドオーバ制御の動作パターン２を示すシーケンス図である。
【０１３０】
図１３に示すように、ステップＳ２１１において、ｅＮＢ２００−１は、自ｅＮＢ２００のカバレッジに存在するＷＬＡＮアクセスポイントグループに関するＷＬＡＮグループ情報をｅＮＢ２００−２に送信する。ｅＮＢ２００−２は、ＷＬＡＮグループ情報を受信し、受信したＷＬＡＮグループ情報を記憶する。
【０１３１】
ステップＳ２１２において、ｅＮＢ２００−２は、自ｅＮＢ２００のカバレッジに存在するＷＬＡＮアクセスポイントグループに関するＷＬＡＮグループ情報をｅＮＢ２００−１に送信する。ｅＮＢ２００−１は、ＷＬＡＮグループ情報を受信し、受信したＷＬＡＮグループ情報を記憶する。
【０１３２】
例えば、ｅＮＢ２００−１及びｅＮＢ２００−２のそれぞれは、Ｘ２インターフェイス上で送信する「ｅＮＢ  Ｃｏｎｆｉｇｕｒａｔｉｏｎ  Ｕｐｄａｔｅ」メッセージにＷＬＡＮグループ情報を含める。
【０１３３】
ｅＮＢ２００−１からｅＮＢ２００−２に対してＵＥ１００のハンドオーバを行う場合、ｅＮＢ２００−２は、ｅＮＢ２００−１のＷＬＡＮグループ情報を把握しているため、ｅＮＢ２００−１からのハンドオーバ要求に応じて、適切なＲＲＣ設定情報（ＲＲＣ  Ｃｏｎｔａｉｎｅｒ）を生成することができる。そして、ｅＮＢ２００−２は、ＲＲＣ設定情報（ＲＲＣ  Ｃｏｎｔａｉｎｅｒ）を含むハンドオーバ指示（Ｈａｎｄｏｖｅｒ  Ｃｏｍｍａｎｄ）を、ｅＮＢ２００−１を介してＵＥ１００に通知する。
【０１３４】
［第２実施形態］
以下において、第２実施形態について、第１実施形態との相違点を主として説明する。
【０１３５】
第１実施形態において、ｅＮＢ２００からの切り替え指示（Ｓｔｅｅｒｉｎｇ  ｃｏｍｍａｎｄ）によりＷＬＡＮを選択したＵＥ１００におけるその後の動作について特に触れなかった。
【０１３６】
第２実施形態においては、ｅＮＢ２００からの切り替え指示（図５のステップＳ１０５、図８のステップＳ１３６、図９のステップＳ１５５、図１０のステップＳ１７６）によりＷＬＡＮを選択したＵＥ１００がＲＲＣコネクティッドモードからＲＲＣアイドルモードに遷移する場合を想定する。
【０１３７】
第２実施形態に係るＵＥ１００は、ＲＲＣコネクティッドモードにおいて、ＷＬＡＮ測定報告を設定するためのＷＬＡＮ測定設定をｅＮＢ２００から受信する。ＵＥ１００は、ＲＲＣコネクティッドモードからＲＲＣアイドルモードに遷移した場合、ＲＲＣアイドルモードにおいてＷＬＡＮ測定設定を保持する。具体的には、ＵＥ１００は、ｅＮＢ２００からの切り替え指示に応じてＷＬＡＮ  ＡＰ３００への切り替えを行った場合、ＲＲＣコネクティッドモードからＲＲＣアイドルモードに遷移し、ＲＲＣアイドルモードにおいてＷＬＡＮ測定設定を保持する。
【０１３８】
これにより、ＵＥ１００は、ＲＲＣアイドルモードにおいてＷＬＡＮ測定を継続することが可能となる。例えば、切り替え指示でＷＬＡＮ  ＡＰグループＡのＷＬＡＮ  ＡＰにデータを移した後にＲＲＣアイドルモードに遷移したＵＥ１００は、ＷＬＡＮ  ＡＰグループＢのＷＬＡＮ  ＡＰを見つけたときに再びＲＲＣコネクティッドモードに戻ってｅＮＢ２００に報告することができる。
【０１３９】
第２実施形態において、ＷＬＡＮ測定設定は、切り替え指示に含まれていてもよい。この場合、ＲＲＣアイドルモード用のＷＬＡＮ測定設定が定義されてもよい。
【０１４０】
第２実施形態において、ＵＥ１００は、ＷＬＡＮ測定設定を保持すべき旨の設定情報をｅＮＢ２００から受信している場合に限り、ＲＲＣアイドルモードにおいてＷＬＡＮ測定設定を保持してもよい。ｅＮＢ２００は、ＷＬＡＮ測定設定を保持すべき旨の設定情報をＷＬＡＮ測定設定と共にＵＥ１００に送信してもよいし、当該設定情報をＷＬＡＮ測定設定とは別にＵＥ１００に送信してもよい。また、ｅＮＢ２００は、ＷＬＡＮ測定設定を保持すべき旨の設定情報をブロードキャストで送信してもよいし、当該設定情報をユニキャストで送信してもよい。ＵＥ１００は、ＷＬＡＮ測定設定を保持すべき旨の設定情報をｅＮＢ２００から受信していない場合、ＲＲＣアイドルモードに遷移する際にＷＬＡＮ測定設定を破棄してもよい。
【０１４１】
或いは、ＵＥ１００は、ＷＬＡＮ測定設定を保持すべき期間を示す期間情報（タイマ値）をｅＮＢ２００から受信してもよい。ｅＮＢ２００は、期間情報をＷＬＡＮ測定設定と共にＵＥ１００に送信してもよいし、期間情報をＷＬＡＮ測定設定とは別にＵＥ１００に送信してもよい。また、ｅＮＢ２００は、期間情報をブロードキャストで送信してもよいし、当該期間情報をユニキャストで送信してもよい。ＵＥ１００は、ＲＲＣコネクティッドモードからＲＲＣアイドルモードに遷移してから、当該期間情報が示す期間にわたってＷＬＡＮ測定設定を保持する。具体的には、ＵＥ１００は、ＲＲＣアイドルモードに遷移する際に、期間情報に対応するタイマを起動し、タイマが満了するまでＷＬＡＮ測定設定を保持する。タイマが満了した際に、ＵＥ１００は、ＷＬＡＮ測定設定を破棄してもよい。
【０１４２】
第２実施形態において、ＵＥ１００は、保持しているＷＬＡＮ測定設定に基づいて、ＲＲＣアイドルモードにおいて測定対象のＷＬＡＮ  ＡＰグループに対する測定を行う。そして、ＵＥ１００は、ＲＲＣアイドルモードにおいて、測定対象のＷＬＡＮ  ＡＰグループの発見又は測定結果に基づいて、ＲＲＣアイドルモードからＲＲＣコネクティッドモードに遷移（復帰）してもよい。なお、測定対象のＷＬＡＮ  ＡＰグループの発見とは、ＷＬＡＮ  ＡＰグループに含まれるアクセスポイントの発見でもよい。また、測定対象のＷＬＡＮ  ＡＰグループの測定結果とは、ＷＬＡＮ  ＡＰグループに含まれるアクセスポイントから送信される信号に関する測定結果であってもよい。
【０１４３】
具体的には、ＵＥ１００は、ＷＬＡＮ測定設定で指定されたイベントが発生したタイミングで、ＲＲＣアイドルモードからＲＲＣコネクティッドモードに遷移する。この場合、ＵＥ１００は、ＲＲＣコネクティッドモードにおいてＷＬＡＮ測定報告をｅＮＢ２００に送信する。
【０１４４】
或いは、ＵＥ１００は、測定対象かつ未報告のＷＬＡＮ  ＡＰグループを発見したタイミングで、ＲＲＣアイドルモードからＲＲＣコネクティッドモードに遷移する。この場合、ＵＥ１００は、ＲＲＣコネクティッドモードにおいてＷＬＡＮ測定を行う。ＲＲＣコネクティッドモードに戻って測定をすることによる効果としては、ＷＬＡＮ測定設定で指定されたイベントが発生した際に迅速にＷＬＡＮ測定報告をｅＮＢ２００に送信することができる点等が挙げられる。
【０１４５】
第２実施形態において、ＵＥ１００は、ＲＲＣコネクティッドモードに遷移すべき旨の設定情報をｅＮＢ２００から受信している場合に限り、測定対象のＷＬＡＮ  ＡＰグループの発見又は測定結果に基づいて、ＲＲＣアイドルモードからＲＲＣコネクティッドモードに遷移してもよい。すなわち、ＲＲＣコネクティッドモードに戻るべきか否かをｅＮＢ２００が指定してもよい。ｅＮＢ２００は、ＷＬＡＮ測定設定を保持すべき旨の設定情報をＷＬＡＮ測定設定と共にＵＥ１００に送信してもよいし、当該設定情報をＷＬＡＮ測定設定とは別にＵＥ１００に送信してもよい。また、ｅＮＢ２００は、ＷＬＡＮ測定設定を保持すべき旨の設定情報をブロードキャストで送信してもよいし、当該設定情報をユニキャストで送信してもよい。
【０１４６】
ＵＥ１００は、ＲＲＣコネクティッドモードに遷移すべき旨の設定情報をｅＮＢ２００から受信していない場合、測定対象のＷＬＡＮ  ＡＰグループの発見又は測定結果に基づいてＲＲＣアイドルモードからＲＲＣコネクティッドモードに遷移しなくてもよい。この場合、ＵＥ１００は、ＲＲＣアイドルモードにおいてＷＬＡＮ測定を継続し、ＵＥ主導の切り替え制御を行ってもよい。
【０１４７】
［その他の実施形態］
第１実施形態において、報告設定（ＲｅｐｏｒｔＣｏｎｆｉｇ）によりトリガー・イベントが指定される一例を説明した。しかしながら、トリガー・イベントがＵＥ１００に事前設定されていてもよい。例えば、ＵＥ１００は、信号強度などに関わらず、測定対象かつ未報告のグループのＷＬＡＮ  ＡＰ３００を発見した際に測定報告をｅＮＢ２００に送信してもよい。
【０１４８】
また、ＵＥ１００は、同一グループ内のＷＬＡＮ  ＡＰ３００については、イベントを満たしても報告をしないことが望まれる。つまり、同一グループ内で一のＷＬＡＮ  ＡＰから他のＷＬＡＮ  ＡＰにＵＥ１００が移動する際に、ＷＬＡＮ測定報告をトリガーしない。そのために、ＵＥ１００は、自身がＷＬＡＮ  ＡＰグループに入ったこと（ｅｎｔｅｒ）、及び自身がＷＬＡＮ  ＡＰグループから出たこと（ｌｅａｖｅ）を把握する。例えば、ＵＥ１００は、あるＷＬＡＮ  ＡＰグループ内でＷＬＡＮの品質が閾値よりも高い初めてのＷＬＡＮ  ＡＰ３００を検知した場合、当該ＷＬＡＮ  ＡＰグループに入った（ｅｎｔｅｒ）と判断する。また、ＵＥ１００は、あるＷＬＡＮ  ＡＰグループ内で現在のＷＬＡＮの品質が閾値よりも低くなり、かつ、当該ＷＬＡＮ  ＡＰグループ内でＷＬＡＮの品質が閾値よりも高くなったＷＬＡＮ  ＡＰ３００が存在しない場合、当該ＷＬＡＮ  ＡＰグループから出た（ｌｅａｖｅ）と判断する。
【０１４９】
第１実施形態において、Ｘ２インターフェイスを介したｅＮＢ間ハンドオーバ手順を説明した。しかしながら、Ｘ２インターフェイスを介したｅＮＢ間ハンドオーバ手順に代えて、Ｓ１インターフェイスを介したｅＮＢ間ハンドオーバ手順を採用してもよい。Ｓ１インターフェイスを介したｅＮＢ間ハンドオーバ手順の場合、ソースｅＮＢとターゲットｅＮＢとの間のシグナリングにＭＭＥが介在する。
【０１５０】
上述した各実施形態において、ＷＷＡＮシステムとしてＬＴＥシステムを例示した。しかしながら、本発明はＬＴＥシステムに限定されない。ＬＴＥシステム以外のＷＷＡＮシステムに本発明を適用してもよい。
【０１５１】
［付記］
（１．前書き）
「ｅＮＢは、（たとえば、ＳＳＩＤ、ＨＥＳＳＩＤもしくはＢＳＳＩＤによって）ＵＥに一群のＡＰを提供する」、および、「アグリゲーションの場合、および、インターワーキングの場合、どのようにしてＩＤがＵＥに提供されるかは、将来の研究課題である（すなわち、プロビジョニングは、異なることがある）」という意見が、現状の合意を含むドキュメントにある。これらの合意がどのようにして仕様において獲得されるべきであるかを考慮して、本付記は、特に、インターワーキング強化のための以下の測定フレームワークの強化について考察する。
−測定対象
−レポーティング構成
−Ｑｕａｎｔｉｔｙ構成
−測定識別
−測定ギャップ
【０１５２】
（２．考察）
（２．１．測定対象）
「ｅＮＢは、ＷＬＡＮ測定のための測定対象を構成することがある。」という合意がある。現行のＲＡＴ間測定対象ＭｅａｓＯｂｊｅｃｔＣＤＭＡ２０００およびＭｅａｓＯｂｊｅｃｔＵＴＲＡは、リストをＲｅｍｏｖｅ／ＡｄｄＭｏｄするためにセルを収容しているので、ＷＬＡＮのための簡単な強化は、ＷＬＡＮ識別子の追加／削除のためＭｅａｓＯｂｊｅｃｔＷＬＡＮに含まれているｗＬａｎｓＴｏＲｅｍｏｖｅＬｉｓｔおよびｗｌａｎｓＴｏＡｄｄＭｏｄＬｉｓｔを定義することである。
【０１５３】
ｗｌａｎｓＴｏＡｄｄＭｏｄＬｉｓｔは、ＷＬＡＮ識別子および対応するインデックス（すなわち、ｗｌａｎＩｎｄｅｘ）を収容することがある。ｗｌａｎＩｎｄｅｘは、ｅＮＢが特定のＷＬＡＮ識別子を削除するときに不可欠である。ｅＮＢは、メッセージサイズを縮小できるようにＷＬＡＮ識別子に代えて特定のインデックスを指示することができる。
【０１５４】
提案１：  ＲＡＮ２は、ｗｌａｎｓＴｏＲｅｍｏｖｅＬｉｓｔおよびｗｌａｎｓＴｏＡｄｄＭｏｄＬｉｓｔを収容しているｍｅａｓＯｂｊｅｃｔＷＬＡＮを導入するようにわざわざ要求されている。
【０１５５】
提案２：  ｗｌａｎｓＴｏＡｄｄＭｏｄＬｉｓｔは、ｗｌａｎＩｎｄｅｘを収容する。また、ｗｌａｎｓＴｏＲｅｍｏｖｅＬｉｓｔは、ｗｌａｎＩｎｄｅｘＬｉｓｔに等しい。
【０１５６】
以下の小節では、測定対象の強化についてのさらなる検討事項がＷＬＡＮアグリゲーション事例およびインターワーキング強化事例の両方について別々に考察される。
【０１５７】
（２．１．１．ＷＬＡＮアグリゲーションのための測定対象強化）
既存のＲＲＭ測定によれば、測定対象は、セルのリストを含む。たとえば、ＭｅａｓＯｂｊｅｃｔＵＴＲＡは、ｃｅｌｌｓＴｏＡｄｄＭｏｄＬｉｓｔの中にｐｈｙｓＣｅｌｌＩｄを収容する。この観点から、ＷＬＡＮ識別子を提供するためこのリストを再使用することは、当然である。
【０１５８】
ＷＬＡＮアグリゲーションは、リリース１２のデュアルコネクティビティに基づいているので、ＲＲＣ  ＣＯＮＮＥＣＴＥＤモードにおけるＵＥだけが考慮される必要がある。その結果、ｅＮＢがリリース１２のインターワーキングの場合のようにＷＬＡＮ識別子をブロードキャストすることは、不可欠ではない。たとえ、ｅＮＢがインターワーキング動作のためＷＬＡＮ識別子をブロードキャストするとしても、ＷＬＡＮアグリゲーション対応ＡＰは、インターワーキングのためのＡＰとは異なることがある。
【０１５９】
提案３：  ＷＬＡＮアグリゲーションに対して、ｅＮＢは、ＷＬＡＮ識別子を収容しているｍｅａｓＯｂｊｅｃｔＷＬＡＮを構成する。ＲＡＮ２は、ｅＮＢがＷＬＡＮ識別子をブロードキャストすることを命令すべきではない。
【０１６０】
（２．１．２．インターワーキング強化のための測定対象強化）
技術報告によれば、解決策３を適用する待機モードにおけるＵＥは、ブロードキャストされたＲＡＮ補助パラメータを用いてアクセスネットワーク選択を行う。しかしながら、リリース１３のインターワーキング強化が待機モードにおけるＵＥをサポートする、ということを前提とするか否かは、あまり明確ではない。このことは、議論を促進させるため明確にされるべきである。リリース１２のインターワーキングは、待機ＵＥトラフィック誘導を既にサポートしているので、一貫性の面から、リリース１３のための同じＵＥ挙動をサポートしない、という理由はない。
【０１６１】
提案４：ＲＡＮ２は、待機ＵＥのためリリース１３のインターワーキングがサポートされるか否かがわざわざ問われる。
【０１６２】
リリース１３のインターワーキングが待機ＵＥのためサポートされている場合、ＳＩＢ  １７またはＳＩＢ  １７の強化版が待機ＵＥをサポートするためにブロードキャストされることが期待されることになる。
【０１６３】
提案５：  ＳＩＢ  １７の強化版は、リリース１３のＷＬＡＮインターワーキングのための待機ＵＥをサポートするためにサービングセルによってブロードキャストされるべきである。
【０１６４】
ｅＮＢが待機モードにおけるＵＥのためのＲＡＮ補助パラメータをブロードキャストする場合、ＷＬＡＮ識別子をブロードキャストすることと、ＷＬＡＮ識別子を収容するｍｅａｓＯｂｊｅｃｔＷＬＡＮを構成することとは、重複のように思われる。別の提案にあるように、ｍｅａｓＯｂｊｅｃｔＷＬＡＮがブロードキャストされたＷＬＡＮ識別子への参照だけを指示する、という選択肢は、シグナリングオーバーヘッドを減少させる可能性がある。
【０１６５】
しかしながら、この選択肢には不明確な点がある。すなわち、リリース１２のＷＬＡＮ識別子が再使用できるか、または、リリース１３のＷＬＡＮ識別子が付加的に必要とされるか、ということである。リリース１２において規定されたＵＥベースの解決策とは違って、インターワーキング強化は、より細粒度のＷＬＡＮ識別子を要求する。特に、ＷＴとｅＮＢとの間にＸｗインターフェイスが存在する場合、ｅＮＢは、どのＷＴがレポートされたＷＬＡＮ識別子を管理するかを識別する必要がある。リリース１２のＷＬＡＮ識別子とリリース１３のＷＬＡＮ識別子との間には相違がある。さらに、ＵＥが測定対象に構成されたｗｌａｎＩｎｄｅｘ−ｒ１３を既存のブロードキャストされたＷＬＡＮ識別子に関連付けることは、明示的な参照値なしでは難しいことがある。ＲＡＮ２が明示的な参照値を含んでいる付加的なＷＬＡＮ−ｉｄｅｎｔｉｆｉｅｒｓ−ｒ１３を規定する必要があるか否かを明確にする方がよい。
【０１６６】
提案６：ＲＡＮ２は、測定対象ＩＤとの関連付けのための明示的もしくは黙示的な参照値を収容することがある付加的なＷＬＡＮ−ｉｄｅｎｔｉｆｉｅｒｓ−ｒ１３が導入されるか否かについて話し合うべきである。
【０１６７】
ブロードキャストされる明示的な参照値として２つの代替案がある。
【０１６８】
−代替案１  ｅＮＢは、ｗｌａｎＩｎｄｅｘを各ＷＬＡＮ識別子と共にブロードキャストする。
【０１６９】
−代替案２  ｅＮＢは、ｗｌａｎ−Ｇｒｏｕｐ−ＩＤを各ＷＬＡＮ識別子と共にブロードキャストする。
【０１７０】
代替案１は、小節２．１．１．において導入された案に類似した考え方である。これは、各ＷＬＡＮ識別子と関係している。
【０１７１】
代替案２は、ＷＬＡＮ識別子がどのグループに属しているかを表す付加情報である。数個のＷＬＡＮ識別子が同じグループに属しているので、グループの最大個数の大きさは、ＷＬＡＮ識別子の最大個数より小さい、と想定される。
【０１７２】
代替案２に関して、ＡＰのグループ同士が接近していない場合、ブロードキャストされるＳＳＩＤの個数を削減するために異なったグループに対して同じグループＳＳＩＤを再使用することが可能である。
【０１７３】
（２．２．レポーティング構成）
アグリゲーションとインターワーキングの両方に関して、以下の２種類のＵＥ挙動に合意した：
−ＵＥは、（ＡＰのグループの範囲内で）ｅＮＢに対して透過的であるモビリティを遂行する。
【０１７４】
−ＡＰのグループを越えるＵＥモビリティは、たとえば、ＵＥによって提供された測定レポートに基づいてｅＮＢによって制御される。
【０１７５】
これは、ｅＮＢが、ＵＥが同一グループ内ではレポートを開始する必要はないがＡＰの別のグループへの加入条件を満たすときに測定レポートを開始するように、ＵＥを構成する、という合意として言い換えられることがある。
【０１７６】
グループ分けは、同一グループ内のＡＰ（たとえば、同一の拡張サービスセットの下のＡＰ）がｗｌａｎｓＴｏＡｄｄＭｏｄＬｉｓｔの中の１つのエントリに関連付けられている場合、簡単に達成可能である。換言すれば、ＡＰのグループは、測定対象ＩＤがどのように使用されているか、と一致している。
【０１７７】
ＵＥが同一グループ内ではレポートを開始する必要はないが、ＵＥがＡＰの別のグループに加入するときに測定レポートを開始する、というＵＥ挙動は、２つのルールによって達成される：
１）ＵＥは、指定されたＷＬＡＮイベントに対する加入条件が異なったＡＰグループに属するターゲットＡＰに対して充足された場合、測定レポートを開始する。
【０１７８】
２）ＵＥは、指定されたＷＬＡＮイベントに対する離脱条件が同一ＡＰグループに属するいずれかのＡＰに対して充足された場合、測定レポートを開始する。
【０１７９】
この一般原理は、技術報告において導入されたイベントＷ１からＷ４に適用できる。
【０１８０】
提案７：ＡＰのグループは、１つのｍｅａｓＯｂｊｅｃｔＷＬＡＮと一致する。
【０１８１】
提案８：ＵＥは、指定されたＷＬＡＮイベントに対する加入条件が異なったＡＰグループに属するターゲットＡＰに対して充足された場合、測定レポートを開始する。
【０１８２】
提案９：ＵＥは、指定されたＷＬＡＮイベントに対する離脱条件が同一ＡＰグループに属するいずれかのＡＰに対して充足された場合、測定レポートを開始する。
【０１８３】
測定レポートでは、ｅＮＢは、節２．２．において導入された明示的な参照を用いてトリガーされたＷＬＡＮ識別子を指示する可能性がある。この選択肢を用いると、レポートのメッセージサイズは、縮小することができる。
【０１８４】
（２．３．Ｑｕａｎｔｉｔｙ構成）
既存のＱｕａｎｔｉｔｙ構成は、ＲＡＴ間測定のための測定Ｑｕａｎｔｉｔｙおよびレイヤ３フィルタリング係数を指定するので、ＷＬＡＮ測定のため強化されるべきである。少なくとも、Ｑｕａｎｔｉｔｙ構成は、ＷＬＡＮ  ＲＳＳＩ測定のためのフィルタ係数を含んでいる。
【０１８５】
提案１０：  ＲＡＮ２は、少なくともＲＳＳＩを含むｍｅａｓＱｕａｎｔｉｔｙＷＬＡＮセットを収容するＱｕａｎｔｉｔｙＣｏｎｆｉｇＷＬＡＮと、フィルタ係数とを指定すべきである。
【０１８６】
ＲＡＮ２は、ＲＳＳＩ以外のＲＡＮ補助パラメータ（たとえば、ＢＳＳ負荷）を再使用することを考慮することができる。
【０１８７】
（２．４．測定識別および測定ギャップ）
測定識別は、１つの測定対象を１つのレポーティング構成と関連付ける。ＷＬＡＮ測定のための変更は必要ではなく、既存のルールがＷＬＡＮに適用できることがある。
【０１８８】
ＵＥの中のＲＦチェーンは、典型的に、ＬＡＡの事例を除いて、ＬＴＥとＷＬＡＮとの間では異なることがあるので、測定ギャップは、強化される必要がない。
【０１８９】
たとえ干渉問題があるとしても、この干渉問題は、既存のＩＤＣ解決策を再使用することにより解決されることがある。
【０１９０】
提案１１：測定識別または測定ギャップのための強化は、必要とはされない。
【０１９１】
なお、米国仮出願第６２／１９８９５３号（２０１５年７月３０日出願）の全内容が、参照により、本願明細書に組み込まれている。
【産業上の利用可能性】
【０１９２】
本発明は移動通信分野において有用である。
【図１】
2020188504.tif 000003
【図２】
2020188504.tif 000004
【図３】
2020188504.tif 000005
【図４】
2020188504.tif 000006
【図５】
2020188504.tif 000007
【図６】
2020188504.tif 000008
【図７】
2020188504.tif 000009
【図８】
2020188504.tif 000010
【図９】
2020188504.tif 000011
【図１０】
2020188504.tif 000012
【図１１】
2020188504.tif 000013
【図１２】
2020188504.tif 000014
【図１３】
2020188504.tif 000015